(57)【特許請求の範囲】
【請求項１】
映像信号と、前記映像信号を交流駆動するための極性反転パルスとが少なくとも入力される端子と、
高電圧源および低電圧源を供給する電圧供給回路と、
入力映像信号の画質を調整する画質調整回路と、
前記画質調整回路によって画質調整された映像信号を前記極性反転パルスに基づいて反転する反転アンプと、
前記反転アンプに接続されるとともに、入力映像信号の反転期間には高電圧源を選択し、非反転期間には低電圧源を前記極性反転パルスに基づいて選択する電源電圧切替スイッチと、
前記反転アンプによって反転および非反転された映像信号が入力される液晶表示パネルと
を具備することを特徴とする液晶駆動装置。
【請求項２】
映像信号と、映像信号を交流駆動するための極性反転パルスとが少なくとも入力される端子と、
高電圧源および無電圧を供給する電圧供給回路と、
入力映像信号の画質を調整する画質調整回路と、
前記画質調整回路によって画質調整された映像信号を反転処理する反転処理回路と、
前記反転処理回路に接続されるとともに、前記極性反転パルスに基づき入力映像信号の反転期間には高電圧源を選択し、非反転期間には無電圧を選択して反転処理回路を停止する電源電圧切替スイッチと、
前記反転処理回路から出力された反転映像信号および前記画質調整回路から出力された非反転映像信号が接続されるとともに、これらを前記極性反転パルスに基づいて切り替える信号切替スイッチと、
前記信号切替スイッチによって切り替えられた映像信号が入力される液晶表示パネルと
を具備することを特徴とする液晶駆動装置。
【請求項３】
映像信号と、前記映像信号を交流駆動するための極性反転パルスとが少なくとも入力される端子と、
高電圧源、低電圧源およびその中間の中電圧源を供給する電圧供給回路と、
入力映像信号の画質を調整する画質調整回路と、
前記画質調整回路によって画質調整された映像信号を反転処理する反転処理回路と、
前記反転処理回路に接続されるとともに、前記極性反転パルスに基づき入力映像信号の反転期間には高電圧源を選択し、非反転期間には中電圧源を選択して反転処理回路を駆動状態に保つ電源電圧切替スイッチと、
前記反転処理回路から出力された反転映像信号および画質調整回路から出力された非反転映像信号が接続されるとともに、これらを前記極性反転パルスに基づいて切り替える信号切替スイッチと、
前記信号切替スイッチによって切り替えられた映像信号が入力される液晶表示パネルと
を具備することを特徴とする液晶駆動装置。
【請求項４】
前記液晶表示パネルは、複数ドットを同時にサンプリングして駆動する複数ドット同時サンプリング方式の液晶表示パネルである
ことを特徴とする請求項１ないし請求項３の何れか１項に記載の液晶駆動装置。
【発明の詳細な説明】
【０００１】
【発明の属する技術分野】
本発明は、例えば複数ドット同時サンプリング方式の液晶表示パネルを駆動する液晶駆動装置に関し、更に詳しくは、入力映像信号の反転・非反転期間において異なる電圧源を選択するようにして、消費電力の低減を図った液晶駆動装置に関する。
【０００２】
【従来の技術】
近年、カメラ一体型ビデオテープレコーダや液晶プロジェクタに代表される液晶表示パネル付き機器の普及とともに、液晶表示パネルへの高性能化の要求が高まり液晶表示パネルの高解像度化や高画質化が進んでいる。液晶表示パネルにおいては、特に、多結晶シリコンを活性層とする薄膜トランジスタ（Ｔｈｉｎ  Ｆｉｌｍ  Ｔｒａｎｓｉｓｔｏｒ  以下、単に「ＴＦＴ」と記す）を用いた液晶表示パネルでは、その高速性能の高さから極めて短い時間内に１画素毎に順次映像信号を書き込む点順次方式が採られている。また、高解像度化が進んだ液晶表示パネルにおいては信号線を予め何本かに分割し、それらを一括して同時に書き込む複数ドット同時サンプリング方式が採用されている。
【０００３】
先ず、図８および図９を参照して従来の液晶駆動装置の構成を説明する。図８は従来の液晶駆動装置を示すブロック図であり、図９は従来の複数ドット同時サンプリング方式の液晶表示パネルの要部構成を示すブロック図である。
【０００４】
図８に示されるような従来の液晶駆動装置は、映像信号Ｖｓｉｇが入力される端子１、入力映像信号をクランプするクランプ回路（図では「ＣＬＰ」と略記する。以下同様）３、サンプルホールド回路（Ｓ／Ｈ）４、γ補正回路（ＧＡＭＭＡ）５、ブライト調整回路（ＢＲＴ）６、反転増幅回路７、および映像を映出するカラーやモノクロでなる液晶表示パネル２で構成される。
【０００５】
図９に示す液晶表示パネル２の細部構成は、Ｈシフトレジスタ２１、Ｖシフトレジスタ２２により大略構成される。Ｈシフトレジスタ２１にはスタートパルスＨＳＴ、クロックパルスＨＣＫ等の液晶駆動パルスが入力されるとともに、スイッチング回路ＨＳＷ１、ＨＳＷ２、ＨＳＷ３、ＨＳＷ４・・・ＨＳＷｍが接続されている。各スイッチング回路には映像信号Ｖｓｉｇ１、Ｖｓｉｇ２、Ｖｓｉｇ３・・・Ｖｓｉｇｎが入力されるとともに、出力端には信号線Ｘが接続されている。なお、ＨＳＷ１には例えば赤（Ｒ）、緑（Ｇ）、青（Ｂ）等の映像信号Ｖｓｉｇ１、Ｖｓｉｇ２、Ｖｓｉｇ３に対応する画素部が接続されているが、理解を容易にするため、Ｖｓｉｇ１のみの画素部を詳しく表示した。
【０００６】
Ｖシフトレジスタ２２にはスタートパルスＶＳＴ、クロックパルスＶＣＫ１、ＶＣＫ２およびＥＮＢ等の液晶駆動パルスが入力されるとともに、行方向の走査線Ｙが接続されている。
【０００７】
信号線Ｘや走査線Ｙはマトリクス状に配列されていて、その交差部にはＴＦＴ２３が配設される。ＴＦＴ２３には液晶ＬＣおよび保持容量ＣＳを介してコモン電圧ＶＣＯＭを供給するコモン電極２４が接続されている。このような構造を有する液晶表示パネル２は複数ドット同時サンプリング方式のアクティブマトリクス型と呼ばれる。なお、本発明の対象となる液晶表示パネルはこの構造に限られるものではなく、単に例示したにすぎない。
【０００８】
かかる構成の従来の液晶駆動装置の動作を簡潔に説明する。
【０００９】
図８における端子１に入力された映像信号Ｖｓｉｇはクランプ回路３にてペディスタルクランプされる。ペディスタルクランプされた信号はサンプルホールド回路４にて複数ドット同時サンプリング液晶表示パネル用に位相差を付けるためのサンプリング処理が施される。サンプリング処理された信号はγ補正回路５において液晶表示パネルの特性に合わせたγ補正を行う。γ補正された信号はブライト調整回路６にて輝度を調整するためのブライトコントロールされる。
【００１０】
ブライト調整回路６を経た信号は反転増幅回路７にてゲイン増幅を行うとともに、極性反転パルスＦＲＰを基に液晶表示パネル２を駆動するための交流化を行う。交流化された信号は液晶表示パネル２に入力され、共に入力される液晶駆動用のクロックパルスによって順次開かれるスイッチング回路ＨＳＷ１ないしＨＳＷｍ（図９参照）によって、Ｖｓｉｇ１ないしＶｓｉｇｎの信号がｎドット毎に同時に各画素部に書き込まれる。
【００１１】
すなわち、図９に示す液晶表示パネル２では、前述の液晶駆動装置から入力される映像信号Ｖｓｉｇや、液晶駆動パルスを受取してＨシフトレジスタ２１やＶシフトレジスタ２２に供給する。
ＴＦＴ２３ではＶシフトレジスタ２２から発生する選択パルスに応動して走査線Ｙを選択し、Ｈシフトレジスタ２１に接続されたスイッチング回路ＨＳＷ１ないしＨＳＷｍを介して信号線Ｘから映像信号を取り込む。取り込まれた映像信号は液晶ＬＣおよび保持容量ＣＳに供給される。液晶ＬＣでは各画素の映像レベルに応じて供給された映像電圧により液晶分子を印加電圧方向に捩じれて倒立させ、この液晶分子と偏光板（何れも図示省略）による旋光性を利用して液晶表示パネル２に映像表示がなされる。
【００１２】
このような従来の液晶駆動装置では、クランプ回路３、サンプルホールド回路４、γ補正回路５およびブライト調整回路６までの画質調整回路の電源電圧は低電圧源から供給され、映像信号Ｖｓｉｇを反転する反転増幅回路７以降の電源電圧は、少なくともコモン電圧の２倍の電圧が必要となるため、高電圧源から供給される。
【００１３】
次に、図１０を参照して従来の液晶表示パネルの駆動方法の詳細を説明する。図１０は従来の液晶表示パネルの駆動方法を示す図であり、（ａ）は映像信号をコモン電圧に対して反転する入力波形図、（ｂ）は映像信号を自身のセンター電圧で反転し、そのセンター電圧に対してコモン電圧を反転する入力波形図、（ｃ）は映像信号を所定の電圧で反転し、その電圧に対してコモン電圧を反転する入力波形図である。
【００１４】
通常の液晶表示パネル２は、液晶ＬＣの劣化を防ぐため交流駆動が必要であり、映像信号をコモン電圧に対して反転する必要がある。映像信号の反転方法としては次に示すような３通りの方法が主に用いられる。
第１の方法は、図１０（ａ）に示すように、映像信号Ｖｓｉｇをコモン電圧ＶＣＯＭに対して反転する方法である。
第２の方法は、同図（ｂ）に示すように、映像信号Ｖｓｉｇを自身のセンター電圧Ｚで反転するとともに、かつそのセンター電圧Ｚに対してコモン電圧ＶＣＯＭを反転する方法である。
第３の方法は、同図（ｃ）に示すように、映像信号Ｖｓｉｇを所定の電圧Ｚ′で反転するとともに、かつその所定の電圧Ｚ′に対してコモン電圧ＶＣＯＭを反転する方法である。
【００１５】
しかしながら、第１の駆動方法では、映像信号Ｖｓｉｇを反転する回路（図８の反転増幅回路７）以降の電源電圧は、少なくともコモン電圧ＶＣＯＭの２倍の電圧が必要となる。このとき、映像信号Ｖｓｉｇの反転・非反転期間にも一律にコモン電圧ＶＣＯＭの略２倍の電源電圧が掛かることになるが、映像信号Ｖｓｉｇの非反転期間においてはその半分の電源電圧で充分である。
つまり、映像信号Ｖｓｉｇの非反転期間では必要以上に高い電圧で駆動されていることになる。同様の理由で、同図（ｃ）に示すような第３の駆動方法においても、映像信号Ｖｓｉｇの非反転期間において必要以上に高い電圧で駆動されている。
本発明は、この映像信号Ｖｓｉｇの非反転期間において電源電圧を下げることにより、液晶駆動装置の消費電力の削減を図ることを骨子とするものである。
【００１６】
【発明が解決しようとする課題】
本発明はかかる観点に鑑みてなされたもので、その課題は、従来の液晶表示パネルの駆動方法における、映像信号の非反転期間においても必要以上に高い電圧で駆動している点に着目し、映像信号の非反転期間においては電源電圧を下げることにより、消費電力の削減を図った液晶駆動装置を提供することである。
【００１７】
【課題を解決するための手段】
上述の従来技術の課題を解決するために以下の手段を講じた。すなわち、第１の発明の液晶駆動装置は、映像信号および映像信号を交流駆動する極性反転パルスが少なくとも入力される端子と、高電圧源および低電圧源を供給する電圧供給回路と、入力映像信号の画質調整用の画質調整回路と、極性反転パルスに基づいて映像信号を反転する反転アンプと、この反転アンプに接続されるとともに、入力映像信号の反転期間には高電圧源を選択し、非反転期間には低電圧源を極性反転パルスに基づいて選択する電源電圧切替スイッチと、反転アンプによって反転・非反転された映像信号が入力される液晶表示パネルとを備えて構成される。そして、電源電圧切替スイッチでは、反転アンプにおける映像信号の反転期間では高電圧源を選択し、非反転期間では低電圧源を選択して液晶表示パネルを駆動する。これにより、無駄なパワーを消費することがなく、液晶駆動装置の低消費電力化を図ることができる。
【００１８】
第２の発明の液晶駆動装置は、映像信号および映像信号を交流駆動するための極性反転パルスとが少なくとも入力される端子と、高電圧源および無電圧を供給する電圧供給回路と、入力映像信号の画質調整用の画質調整回路と、映像信号を反転する反転処理回路と、この反転処理回路に接続され、極性反転パルスに基づき入力映像信号の反転期間には高電圧源を選択し、非反転期間には無電圧を選択して反転処理回路を停止する電源電圧切替スイッチと、反転処理回路から出力された反転映像信号および画質調整回路から出力された非反転の映像信号が接続され、これらを極性反転パルスに基づいて切り替える信号切替スイッチと、切り替えられた映像信号が入力される液晶表示パネルとを備えて構成される。そして、反転処理回路（ＩＮＶＥＲＳＥ）の電源は極性反転パルスによってオン・オフ制御される。つまり、反転処理回路において、映像信号の反転期間では高電圧源で駆動し、非反転期間では回路を完全にオフする。これにより、パワーロスが更に少なくなり、液晶駆動装置の低消費電力化が図れる。
【００１９】
第３の発明の液晶駆動装置は、映像信号および映像信号を交流駆動するための極性反転パルスとが少なくとも入力される端子と、高電圧源、低電圧源およびその中間の中電圧源を供給する電圧供給回路と、入力映像信号の画質調整用の画質調整回路と、画質調整された映像信号を反転する反転処理回路と、反転処理回路に接続され、極性反転パルスに基づき入力映像信号の反転期間には高電圧源を選択し、非反転期間には中電圧源を選択して反転処理回路を駆動状態に保つ電源電圧切替スイッチと、これらを極性反転パルスに基づいて切り替える信号切替スイッチと、映像信号が入力される液晶表示パネルにより構成される。そして、反転処理回路（ＩＮＶＥＲＳＥ）の電源は、極性反転パルスによって選択され、反転期間では高電圧源、非反転期間では中電圧源で駆動する。つまり、映像信号の非反転信号の期間にも中電圧源により反転処理回路が起動したままとなっているため、電源電圧切替スイッチや反転処理回路および信号切替スイッチなどにおける電源電圧の切替え時のノイズ等の立ち上がり／立ち下がり条件を緩和することができる。
【００２０】
【発明の実施の形態】
以下、本発明の実施の形態について図面を参照して詳細に説明する。
【００２１】
実施例１
図１および図２を参照して本発明の液晶駆動装置の実施例１の構成を説明する。図１は本発明の複数ドット同時サンプリング方式の液晶駆動装置の実施例１を示すブロック回路図であり、図２は本発明の液晶駆動装置の実施例１の動作を示すタイミングチャート図である。
なお、従来技術で記載した事項と共通する部分には以降とも同一の参照符号を付すものとし、液晶表示パネルの細部構成はその説明を省略する。
【００２２】
本発明の液晶駆動装置は、映像信号Ｖｓｉｇが入力される端子１、クランプ回路（ＣＬＰ）３、サンプルホールド回路（Ｓ／Ｈ）４、γ補正回路（ＧＡＭＭＡ）５、ブライト調整回路（ＢＲＴ）６およびゲイン調整回路（ＧＡＩＮ）８により、画質調整回路１０を構成する。新たに、反転アンプ１１、反転アンプ１１に接続された電源電圧切替スイッチ１２、および反転アンプ１１を経た映像信号が入力される液晶表示パネル２により構成される。
【００２３】
更に、画質調整回路１０は低電圧源Ａに接続されるとともに、電源電圧切替スイッチ１２は低電圧源Ａおよび高電圧源Ｂに接続される。そして、反転アンプ１１の電源電圧は映像信号の極性反転パルスＦＲＰと同期して電源電圧切替スイッチ１２によって切り替えられた低電圧源Ａおよび高電圧源Ｂの何方かが供給される。
【００２４】
このように構成された本発明の液晶駆動装置の動作を図１および図２を参照して説明する。
【００２５】
端子１に入力された映像信号Ｖｓｉｇ（図１および図２参照）は、クランプ回路３にてペディスタルクランプされ、サンプルホールド回路４にてサンプリング処理が成される。サンプリング処理された信号は、γ補正回路５、ブライト調整回路６、ゲイン調整回路８において、図２のように所望のブライト調整、ゲイン調整および液晶表示パネルの特性に合わせたγ補正が行われる。
その後、反転アンプ１１によって液晶表示パネル２を駆動するための交流化を行うわけであるが、この時の反転アンプ１１の電源電圧は、電源電圧切替スイッチ１２によって、極性反転パルスＦＲＰを基に低電圧源Ａおよび高電圧源Ｂの何れかに切り替えられる。
【００２６】
すなわち、電源電圧切替スイッチ１２では、反転アンプ１１における映像信号の反転期間（図２の高電圧源Ｂ期間）では高電圧源Ｂを選択し、映像信号の非反転期間（図２の低電圧源Ａ期間）では低電圧源Ａを選択して液晶表示パネル２を駆動する。つまり、映像信号Ｖｓｉｇの反転・非反転期間に応じて図２の一点鎖線で示す最適な電源電圧１３を選択して液晶表示パネル２を駆動する。
これにより、本発明の液晶駆動装置では、映像信号の非反転期間では低電圧源Ａで駆動するようにしたため、パワーのロスが少なく、液晶駆動装置の低消費電力化を図ることができる。
【００２７】
反転アンプ１１により交流化された映像信号は液晶表示パネル２に入力され、前述のクロックパルスＨＣＫにより順次開かれるスイッチング回路によって、各信号がｎドット毎に同時に各画素に書き込まれる。
【００２８】
実施例２
本実施例は入力映像信号の反転を行う反転処理回路を独立して備え、映像信号の非反転期間には反転処理回路の動作を完全に止めることにより、液晶駆動装置の低消費電力化を図る駆動方法であり、これを図３および図４を参照して説明する。図３は本発明の複数ドット同時サンプリング方式の液晶駆動装置の実施例２を示すブロック回路図であり、図４は本発明の液晶駆動装置の実施例２の動作を示すタイミングチャート図である。
【００２９】
図３に示されるような本発明の液晶駆動装置は、実施例１における画質調整回路１０までは同一構成であり、新たに、画質調整された映像信号の反転を行う反転処理回路（ＩＮＶＥＲＳＥ）１４、反転処理回路１４に接続された電源電圧切替スイッチ１２、反転処理回路１４により反転された映像信号と画質調整回路１０から出力された非反転の映像信号が入力される信号切替スイッチ１５および液晶表示パネル２により構成される。
【００３０】
更に、画質調整回路１０は低電圧源Ａに接続されるとともに、電源電圧切替スイッチ１２は高電圧源Ｂおよび無電圧に接続される。そして、反転処理回路１４の電源電圧は、映像信号の極性反転パルスＦＲＰによって制御され、映像信号の反転期間（図４の電源ＯＮ期間）では高電圧源Ｂで駆動され、非反転期間（図４の電源ＯＦＦ期間）では無電圧が選択されて反転処理回路１４の動作は完全に停止される。つまり、映像信号Ｖｓｉｇの反転・非反転期間に応じて図４の一点鎖線で示す最適な電源電圧１６を選択して液晶表示パネル２を駆動するようにする。
【００３１】
これにより、従来の液晶駆動装置では、映像信号の非反転期間においても反転期間と同じ高電圧源Ｂで駆動して無駄なパワーを消費していたものが、本発明の液晶駆動装置では、映像信号の非反転期間では反転処理回路１４の動作を完全に停止するため、パワーのロスが少なく、液晶駆動装置の低消費電力化を図ることができる。
【００３２】
反転処理回路１４により反転された映像信号と画質調整回路１０から出力された非反転の映像信号は信号切替スイッチ１５に入力され、信号切替スイッチ１５では極性反転パルスＦＲＰを基に映像信号を反転・非反転と切り替えて液晶表示パネル２に供給する。以降の動作は実施例１と同様であり、説明を省略する。
【００３３】
実施例３
本実施例は反転処理回路を独立に備えるとともに、映像信号の非反転期間にも反転処理回路の動作を完全に止めることなく、液晶駆動装置の低消費電力化を図る駆動方法であり、これを図５および図６を参照して説明する。図５は本発明の複数ドット同時サンプリング方式の液晶駆動装置の実施例３を示すブロック回路図であり、図６は本発明の液晶駆動装置の実施例３の動作を示すタイミングチャート図である。
【００３４】
図５における本発明の液晶駆動装置は、画質調整回路１０、反転処理回路（ＩＮＶＥＲＳＥ）１４、反転処理回路１４に接続された電源電圧切替スイッチ１２、反転処理回路１４により反転された映像信号と画質調整回路１０から出力された非反転映像信号が入力される信号切替スイッチ１５および液晶表示パネル２により構成される。
【００３５】
更に、画質調整回路１０は低電圧源Ａに接続されるとともに、電源電圧切替スイッチ１２は高電圧源Ｂおよび新たに生成した中電圧源Ｃ（低電圧源Ａ＜Ｃ＜高電圧源Ｂ）に接続される。そして、反転処理回路１４の電源電圧は、映像信号の極性反転パルスＦＲＰによって制御され、映像信号の反転期間（図６の高電圧源Ｂ期間）では高電圧源Ｂで駆動されるとともに、非反転期間（図６の中電圧源Ｃ期間）では中電圧源Ｃが選択されて反転処理回路１４の動作状態は確保される。つまり、映像信号Ｖｓｉｇの反転・非反転期間に応じて図６の一点鎖線で示す最適な電源電圧１７を選択して液晶表示パネル２を駆動するようにする。
【００３６】
これにより、パワーのロスが少なく、液晶駆動装置の低消費電力化を図ることができる。それと共に、非反転期間（図６の中電圧源Ｃ期間）でも反転処理回路１４に中電圧源Ｃが供給されているため、電源電圧の切替え時のノイズ等の立ち上がり／立ち下がり条件を緩和することができる。以下、本発明の液晶表示パネルは常法に準拠して動作される。
なお、上述の実施例における低電圧源Ａ、中電圧源Ｃおよび高電圧源Ｂは、一例としてそれぞれ５Ｖ、１０Ｖ、１５．５Ｖである。また、本発明は上記実施例で示した回路構成に限ることなく、同様の働きをする他の回路構成を用いても良いことは当然である。
【００３７】
本発明は上記実施例に限定されず、種々の実施形態を採ることができる。例えば、本実施例では複数ドット同時サンプリング方式の液晶駆動装置について例示したがそれ以外の液晶駆動装置にも適用される。また、本実施例では極性反転パルスＦＲＰによって電源電圧を切り替える例を例示したが、極極性反転パルスＦＲＰよりも早いタイミングで電源電圧を変化させることにより、電源電圧の立ち上がり／立ち下がり特性を考慮した駆動方法にも応用できる。
すなわち、図７に示す中電圧源Ｃ（Ｖ）から高電圧源Ｂ（Ｖ）に電源電圧を立ち上げる場合において、ＦＲＰよりも早いタイミングで電源電圧を変化させることにより、（ｔ）の期間切り替えタイミングに余裕が生まれることになる。更に、本発明は以上示した実施形態にとらわれず様々な形態に発展できることは言うまでもない。
【００３８】
【発明の効果】
以上説明したように、本発明の液晶駆動装置によれば、本発明の付加回路によって映像信号の反転期間では高電圧源を選択し、映像信号の非反転期間では低電圧源を選択して液晶表示パネルを駆動するようにした。これにより、従来の液晶駆動装置のように、非反転信号の期間でも高電圧源で駆動して無駄なパワーを消費することがなく、液晶駆動装置の消費電力の低減を図ることが可能となる。
【図面の簡単な説明】
【図１】本発明の複数ドット同時サンプリング方式の液晶駆動装置の実施例１を示すブロック回路図である。
【図２】本発明の液晶駆動装置の実施例１の動作を示すタイミングチャート図である。
【図３】本発明の複数ドット同時サンプリング方式の液晶駆動装置の実施例２を示すブロック回路図である。
【図４】本発明の液晶駆動装置の実施例２の動作を示すタイミングチャート図である。
【図５】本発明の複数ドット同時サンプリング方式の液晶駆動装置の実施例３を示すブロック回路図である。
【図６】本発明の液晶駆動装置の実施例３の動作を示すタイミングチャート図である。
【図７】本発明の液晶駆動装置の実施例３の他の動作を示すタイミングチャート図である。
【図８】従来の液晶駆動装置を示すブロック図である。
【図９】従来の複数ドット同時サンプリング方式の液晶表示パネルの要部構成を示すブロック図である。
【図１０】従来の液晶表示パネルの駆動方法を示す図であり、（ａ）は映像信号をコモン電圧に対して反転する入力波形図、（ｂ）は映像信号を自身のセンター電圧で反転し、そのセンター電圧に対してコモン電圧を反転する入力波形図、（ｃ）は映像信号を所定の電圧で反転し、その電圧に対してコモン電圧を反転する入力波形図である。
【符号の説明】
１…端子、２…液晶表示パネル、３…クランプ回路（ＣＬＰ）、４…サンプルホールド回路（Ｓ／Ｈ）、５…γ補正回路（ＧＡＭＭＡ）、６…ブライト調整回路（ＢＲＴ）、７…反転増幅回路、８…ゲイン調整回路（ＧＡＩＮ）、１０…画質調整回路、１１…反転アンプ、１２…電源電圧切替スイッチ、１４…反転処理回路（ＩＮＶＥＲＳＥ）、１５…信号切替スイッチ、１３，１６，１７…電源電圧、２１…Ｈシフトレジスタ、２２…Ｖシフトレジスタ、２３…薄膜トランジスタ（ＴＦＴ）、２４…コモン電極
【図１】
0003620187.tif 000002
【図２】
0003620187.tif 000003
【図３】
0003620187.tif 000004
【図４】
0003620187.tif 000005
【図５】
0003620187.tif 000006
【図６】
0003620187.tif 000007
【図７】
0003620187.tif 000008
【図８】
0003620187.tif 000009
【図９】
0003620187.tif 000010
【図１０】
0003620187.tif 000011